(57)【要約】【課題】安価な装置構成で温度変化を検出可能な分布型光ファイバ温度センサの提供。【解決手段】ブリルアンスペクトルに複数のピークをもつ被測定光ファイバと、該被測定光ファイバに測定光を入射する光源と、被測定光ファイバで発生したブリルアン散乱光を測定し、ブリルアンスペクトルにおける各ピーク間の周波数差の変化から、被測定光ファイバの温度分布を測定する温度分布検出手段とを有することを特徴とする分布型光ファイバ温度センサ。【選択図】図６
2009098020.tif 000002
【特許請求の範囲】
【請求項１】
ブリルアンスペクトルに複数のピークをもつ被測定光ファイバと、該被測定光ファイバに測定光を入射する光源と、被測定光ファイバで発生したブリルアン散乱光を測定し、ブリルアンスペクトルにおける各ピーク間の周波数差の変化から、被測定光ファイバの温度分布を測定する温度分布検出手段とを有することを特徴とする分布型光ファイバ温度センサ。
【請求項２】
前記温度分布検出手段が、前記光源と被測定光ファイバとの間に介在した光サーキュレータを介して被測定光ファイバで発生したブリルアン散乱光を測定するように配置された受光回路と、該受光回路から出力されるブリルアン散乱光測定データを入力し、この測定データを、予め測定・記憶された所定条件下でのデータと比較し、ブリルアンスペクトルにおける各ピーク間の周波数差の変化から、被測定光ファイバの温度分布を測定する信号処理部とを有することを特徴とする請求項１に記載の分布型光ファイバ温度センサ。
【請求項３】
前記被測定光ファイバが、ブリルアンスペクトルにおける各ピーク間の周波数差が３ＧＨｚ以下の複数のピークを持つファイバであることを特徴とする請求項１又は２に記載の分布型光ファイバ温度センサ。
【請求項４】
前記被測定光ファイバが、ブリルアンスペクトルにおける各ピーク間のピーク差が３０ｄＢ以下の複数のピークを持つファイバであることを特徴とする請求項１〜３のいずれかに記載の分布型光ファイバ温度センサ。
【発明の詳細な説明】
【技術分野】
【０００１】
本発明は、ブリルアン散乱を用いた分布型光ファイバ温度センサに関し、特に、安価な装置構成で温度変化を検出可能な分布型光ファイバ温度センサに関する。
【背景技術】
【０００２】
ブリルアン散乱光のスペクトラムは、入射光に対して約１１ＧＨｚ低い周波数（ブリルアン周波数）にピークを持つ。このピークは、図１のように温度によりピーク周波数がシフトし、周波数シフト量は、図２のように温度に対して線形に変化する。従って、周波数シフト量から温度の変化量を知ることができる（例えば、特許文献１参照。）。
【０００３】
図１のように、１つの大きなブリルアンピークを持つ光ファイバを用いた従来の分布型光ファイバ温度センサでは、ブリルアン周波数の変化を知るために、約１１ＧＨｚのブリルアン周波数を光スペクトラムアナライザで直接観察するか、コヒーレント検波をして高周波用電気スペクトラムアナライザーでピーク周波数を検出していた。これらの装置は、構造が複雑で、コストもかかることから、分布型光ファイバ温度センサの実用化を図る上で問題になっている。
【０００４】
一方で近年、図３のように複数のブリルアンピークを持つ光ファイバを用いた分布型光ファイバセンサが提案されている。この手法は図４のように各ピークが温度変化に対して周波数シフト量が異なることから、温度と歪みを分離して同時に測定する方法である（例えば、非特許文献１参照。）。しかし、この従来技術においても、ブリルアン周波数の変化は従来通り光スペクトラムアナライザか高周波用電気スペクトラムアナライザを用いて測定していることから、構造が複雑で、コストもかかるなど、前述した分布型光ファイバ温度センサと同様の問題を抱えている。 
【特許文献１】特開平１０−４８０６７号公報
【非特許文献１】C. C. Lee et al., "Utilization of a Dispersion-Shifted Fiber for Simultaneous Measurement of Distributed Strain and Temperature Through Brillouin Frequency Shift", IEEE Photonics Technology letters, Vol. 13, No. 10, October 2001.
【発明の開示】
【発明が解決しようとする課題】
【０００５】
本発明は、前記事情に鑑みてなされ、安価な装置構成で温度変化を検出可能な分布型光ファイバ温度センサの提供を目的とする。
【課題を解決するための手段】
【０００６】
前記目的を達成するため、本発明は、ブリルアンスペクトルに複数のピークをもつ被測定光ファイバと、該被測定光ファイバに測定光を入射する光源と、被測定光ファイバで発生したブリルアン散乱光を測定し、ブリルアンスペクトルにおける各ピーク間の周波数差の変化から、被測定光ファイバの温度分布を測定する温度分布検出手段とを有することを特徴とする分布型光ファイバ温度センサを提供する。
【０００７】
本発明の分布型光ファイバ温度センサにおいて、前記温度分布検出手段が、前記光源と被測定光ファイバとの間に介在した光サーキュレータを介して被測定光ファイバで発生したブリルアン散乱光を測定するように配置された受光回路と、該受光回路から出力されるブリルアン散乱光測定データを入力し、この測定データを、予め測定・記憶された所定条件下でのデータと比較し、ブリルアンスペクトルにおける各ピーク間の周波数差の変化から、被測定光ファイバの温度分布を測定する信号処理部とを有することが好ましい。
【０００８】
本発明の分布型光ファイバ温度センサにおいて、前記被測定光ファイバが、ブリルアンスペクトルにおける各ピーク間の周波数差が３ＧＨｚ以下の複数のピークを持つファイバであることが好ましい。
【０００９】
本発明の分布型光ファイバ温度センサにおいて、前記被測定光ファイバが、ブリルアンスペクトルにおける各ピーク間のピーク差が３０ｄＢ以下の複数のピークを持つファイバであることが好ましい。
【発明の効果】
【００１０】
本発明の分布型光ファイバ温度センサは、ブリルアンスペクトルに複数のピークをもつ被測定光ファイバと、該被測定光ファイバに測定光を入射する光源と、被測定光ファイバで発生したブリルアン散乱光を測定し、ブリルアンスペクトルにおける各ピーク間の周波数差の変化から、被測定光ファイバの温度分布を測定する温度分布検出手段とを有する構成としたので、低周波の電気信号をスペクトル解析すればよい。そのため光スペクトラムアナライザや高周波用電気スペクトラムアナライザを必要とせず、安価な装置構成で温度変化を検出可能な分布型光ファイバ温度センサを提供することができる。
【発明を実施するための最良の形態】
【００１１】
本発明の分布型光ファイバ温度センサは、図３のようにブリルアンスペクトルに複数のピークを持つ光ファイバを被測定ファイバとして用いる。このファイバは、石英系の光ファイバで、台形状の屈折率分布をしており、コア径６μｍ、比屈折率差Δ＝０．４％となっている。
コア部はＧｅＯ２を添加しているが、中心部半径２μｍ内にはＦも共添加している。
【００１２】
このブリルアンスペクトルにおける各ピークのブリルアン周波数は、温度により線形に変化するが、図４のように各ピークの周波数シフト量の温度依存係数が異なることから、図５に示すように、温度変化に対して各ピーク間の周波数差も線形に変化する。
【００１３】
初期温度でのピーク間の周波数差を記憶しておくことで、温度変化を各ピークの周波数差の変化として検出することが可能となる。ピーク間の周波数差は最大でも３ＧＨｚ程度であることから、低周波でフーリエ解析することが可能となり、各ピークの周波数シフト量を測定するために、安価な装置を用いることが可能となる。
【００１４】
図６は、本発明の分布型光ファイバ温度センサの一例を示す構成図である。図６中符号１はパルス光源、２は光サーキュレータ、３は被測定光ファイバ、４は受光回路、５は信号処理部である。この被測定光ファイバ３は、前述したように、ブリルアンスペクトルに複数のピークをもつ光ファイバである。
【００１５】
この分布型光ファイバ温度センサは、ブリルアンスペクトルに複数のピークをもつ被測定光ファイバ３と、該被測定光ファイバに測定光を入射するパルス光源１と、被測定光ファイバ３で発生したブリルアン散乱光を測定し、ブリルアンスペクトルにおける各ピーク間の周波数差の変化から、被測定光ファイバの温度分布を測定する温度分布検出手段とを備えて構成されている。
【００１６】
前記温度分布検出手段は、パルス光源１と被測定光ファイバ３との間に介在した光サーキュレータ２を介して被測定光ファイバ３で発生したブリルアン散乱光を測定するように配置された受光回路４と、受光回路４から出力されるブリルアン散乱光測定データを入力し、この測定データを、予め測定・記憶された所定条件下でのデータと比較し、ブリルアンスペクトルにおける各ピーク間の周波数差の変化から、被測定光ファイバの温度分布を測定する信号処理部５とからなっている。
【００１７】
本発明の分布型光ファイバ温度センサにおいて、被測定光ファイバ３は、ブリルアンスペクトルにおける各ピーク間の周波数差が３ＧＨｚ以下の複数のピークを持つファイバ及び／又はブリルアンスペクトルにおける各ピーク間のピーク差が３０ｄＢ以下の複数のピークを持つファイバであることが好ましい。
【００１８】
この分布型光ファイバ温度センサにおいて、パルス光源１から出た光パルスは、光サーキュレータ２を通り、被測定光ファイバ３に入射される。被測定光ファイバ３内では、パルス光が後方ブリルアン散乱され、各ピークに対するブリルアン散乱光が生じる。このブリルアン散乱光は、光サーキュレータ２を通り、受光回路４に入射し、ここで光から電気信号に変換される。
【００１９】
受光回路４においては、各ピークに対するブリルアン散乱光同士の干渉成分がピーク間の周波数差に相当する周波数の電気信号となる。受光回路４から出力された電気信号は、信号処理部５に入力され、信号処理部において電気信号のピーク周波数を検出し、初期に記憶した周波数と比較することで温度変化に換算する。
【００２０】
被測定光ファイバ３の長手方向の温度分布を測定するには、パルス光源１から信号処理部５にトリガー信号を送る事で、その時間により被測定光ファイバ３のどの位置から到達したブリルアン散乱光かを判断し、温度を測定することで、被測定光ファイバ３の長手方向の温度分布を測定することができる。
【図面の簡単な説明】
【００２１】
【図１】ブリルアン散乱光のスペクトラムの温度による変化を示すグラフである。
【図２】温度変化量とブリルアン周波数の周波数シフト量の線形な関係を示すグラフである。
【図３】複数のピークをもつ光ファイバにおいて観測されたブリルアン散乱光のスペクトラムを示すグラフである。
【図４】異なるピークの温度変化量に対するブルルアン周波数の周波数シフト量の違いを示すグラフである。
【図５】温度変化量とブリルアン周波数のピーク間の周波数差の線形な関係を示すグラフである。
【図６】本発明の分布型光ファイバ温度センサの一例を示す構成図である。
【符号の説明】
【００２２】
１…パルス光源、２…光サーキュレータ、３…被測定光ファイバ、４…受光回路、５…信号処理部。
【図１】
2009098020.tif 000003
【図２】
2009098020.tif 000004
【図３】
2009098020.tif 000005
【図４】
2009098020.tif 000006
【図５】
2009098020.tif 000007
【図６】
2009098020.tif 000008